(57)【要約】      （修正有）【課題】複数の印刷装置から原稿画像の色の特徴を反映した印刷色を実現可能な印刷装置を選択し、より原稿画像に近い色で印刷を行う。【解決手段】印刷制御装置の制御部５４の機能構成として、原稿画像データの色情報を取得する原稿画像データ取得部６１と、原稿画像作成部５０からのＲＧＢデータを色変換して、印刷対象のカラー原稿を解析する色変換部６２と、孔版印刷装置から取得した各装置に装着された色インキの色情報のデータを対応付けて登録する色情報登録部６３と、全ての色インキの組合せにより実現可能な印刷色に関するデータが格納する色差情報格納部６４と、孔版印刷装置のそれぞれにおいて実現可能な印刷色と原稿画像データ取得部６１によって取得した原稿画像データ内の所定の色との色差を算出する色差情報参照部６５と、算出された色差値が最小になる印刷色を実現可能な孔版印刷装置を選択する装置選択部６６とを備える。【選択図】図５
2008213167.tif 000002
【特許請求の範囲】
【請求項１】
製版された孔版原紙を版胴の外周面に巻装し、複数種類の色インキから選択される色インキを前記版胴の内部に供給し、前記版胴の外周面に印刷用紙を押圧して印刷を行う複数の孔版印刷装置と、原稿画像データに応じて前記複数の孔版印刷装置から最適な孔版印刷装置を選択して印刷させる制御を行う印刷制御装置とがネットワークを介して互いに接続されてなり、
前記孔版印刷装置の各々は、
搭載された色インキの色情報のデータをネットワークに送信するデータ送信手段と、ネットワークを介して送られた前記原稿画像データを受信するデータ受信手段と、該データ受信手段で受信した前記原稿画像データに基づいて孔版印刷動作を実行する制御を行う制御手段とを有し、
前記印刷制御装置は、
前記孔版印刷装置の各々に搭載された複数の色インキの色情報のデータをネットワークを介して取得するデータ取得手段と、
前記色情報のデータと前記孔版印刷装置とを対応付けて登録する色情報登録手段と、
前記原稿画像データの色情報を取得する原稿色取得手段と、
全色インキの組合せにより再現可能な色に関する色情報と、原稿画像を表現するために必要な全ての色情報との色差値が記憶された色差情報記憶手段と、
前記色差情報記憶手段に記憶された色差値のデータを参照して、前記色情報登録手段に登録された色情報から各孔版印刷装置で実現可能な印刷色と前記原稿色取得手段によって抽出された前記原稿画像データ内の所定の色との色差値を比較する色差情報参照手段と、
前記色情報登録手段に登録された孔版印刷装置から前記色差情報参照手段で算出した色差値が最小になる色を実現可能な孔版印刷装置を選択する制御を行う装置選択制御手段と、
前記ネットワークを介して前記選択された孔版印刷装置に原稿画像データを送信するデータ送信手段とを有する
ことを特徴とする孔版印刷システム。
【請求項２】
前記装置選択制御手段は、前記原稿色取得手段によって抽出された前記原稿画像データの色情報が単色であり、且つ前記色差情報参照手段によって算出された色差値が所定の閾値以下に収まらないとき、前記色差値が最小になる色インキが装着された孔版印刷装置を選択し、該選択した孔版印刷装置に該色インキによる単色印刷を実行させることを特徴とする請求項１に記載の孔版印刷システム。
【請求項３】
前記装置選択制御手段は、前記原稿色取得手段によって抽出された前記原稿画像データの色情報が単色であり、且つ前記色差情報参照手段によって算出された色差値が所定の閾値以下に収まらないとき、黒インキが装着された孔版印刷装置を選択し、該選択した孔版印刷装置に前記黒インキによる単色印刷を実行させることを特徴とする請求項１に記載の孔版印刷システム。
【請求項４】
前記印刷制御装置は、
前記原稿画像データに使用されているオブジェクトが文字、イラスト、写真の何れであるか判定するオブジェクト判定手段と、
印刷時に優先して再現する必要のある優先色を指定する優先色指定手段と、
前記オブジェクトが前記優先色であるか判別する優先色判別手段とを備え、
前記オブジェクト判定手段によって判定されたオブジェクトが前記優先色指定手段により予め設定された優先色のみからなるオブジェクトであるとき、前記色差情報参照手段は、前記優先色について色差の最小値を算出することを特徴とする請求項１に記載の孔版印刷システム。
【請求項５】
前記印刷制御装置は、
前記優先色指定手段により設定された優先色に印刷指定色を設定する印刷色指定手段を備え、
前記装置選択制御手段は、前記オブジェクト判定手段によって判定されたオブジェクトが前記優先色指定手段により予め設定された優先色のみからなるオブジェクトであって、前記優先色に前記印刷色指定手段によって印刷指定色が設定されているとき、前記色差情報参照手段によって算出された色差の最小値が零になる色を実現可能な孔版印刷装置を選択し、選択された孔版印刷装置に前記原稿画像データを送信する制御を行うことを特徴とする請求項４に記載の孔版印刷システム。
【請求項６】
製版された孔版原紙を版胴の外周面に巻装し、複数種類の色インキから選択される色インキを前記版胴の内部に供給し、前記版胴の外周面に印刷用紙を押圧して印刷を行う複数の孔版印刷装置と、原稿画像データに応じて前記複数の孔版印刷装置から最適な孔版印刷装置を選択して印刷させる制御を行う印刷制御装置とがネットワークを介して互いに接続されてなる孔版印刷システムにおいて多色孔版印刷を行う孔版印刷方法であって、
前記孔版印刷装置各々に搭載された複数の色インキの色情報のデータをネットワークを介して取得するデータ取得工程と、
前記取得した前記色情報のデータと前記孔版印刷装置とを対応付けて登録する色情報登録工程と、
前記原稿画像データの色情報を取得する原稿色取得工程と、
前記印刷制御装置内のメモリに予め用意された全色インキの組合せにより再現可能な色に関する色情報と、原稿画像を表現するために必要な全ての色情報との色差値のデータを参照して、前記色情報登録工程で登録された色情報から各孔版印刷装置で実現可能な印刷色と前記原稿色取得工程で取得された前記原稿画像データ内の所定の色との色差値を比較する比較工程と、
前記登録された孔版印刷装置から前記比較工程で算出した色差値が最小になる色を実現可能な孔版印刷装置を選択する装置選択工程と、
選択された孔版印刷装置に前記原稿画像データを送信する工程と、
前記送信された前記原稿画像データに基づいて孔版印刷動作を実行する工程と
を有することを特徴とする孔版印刷方法。
【発明の詳細な説明】
【技術分野】
【０００１】
複数色のインキを装着した複数の孔版印刷装置を用いて原稿画像であるカラー画像に応じた画像を媒体上に形成する孔版印刷システム及び孔版印刷方法に関する。
【背景技術】
【０００２】
近年、ディスプレイ等に表示されるカラー画像のデータをディジタル処理して印刷するカラープリンタ、カラーの原稿を光学的に色分解して電気的に読み取って、得られたディジタル画像を用紙上に複写するカラー複写機がオフィス等で広く普及している。これらカラープリンタ、カラー複写機等においてフルカラーの原稿画像（主にＰＣ等で作成した画像データ）を再現性高く紙面上に形成する手法としては、ＣＭＹＫの４色のドットを精緻に重ね合わせる技術があるが、ランニングコストが高くなる傾向にある。
【０００３】
一方、ユーザのなかには、高い色再現性よりもランニングコストを抑えることを重視する要望もあり、このような要望に応えるものとして、例えば、フルカラーの原稿画像を２色の擬似階調で階調再現する手法がある。具体的に、均等空間を用いて、装着された複数の色インキから最適な色インキの組合せを自動的に判定し、その組合せをパネルに表示してユーザに通知することにより、ユーザにとって煩雑な色インキの選択操作を改善するとともに、原稿画像の特徴を反映した印刷色を容易に得られるようにした技術が開示されている（特許文献１参照）。
【特許文献１】特開２００４−１２２７７１号公報
【発明の開示】
【発明が解決しようとする課題】
【０００４】
ところが、上述した技術では、多色印刷可能な多色孔版印刷装置が複数台存在する場合、より多くの原稿の色パターンに対応できるものの、複数台の多色孔版印刷装置のなかから最適な印刷色が得られる多色孔版印刷装置を選択しようとしたとき、ユーザは、装置毎に原稿画像の再現性を確認する作業を行わねばならず、ユーザにとってこの作業は、煩雑であった。
【０００５】
そこで、本発明は、上述した従来の実情に鑑みて提案されたものであり、多色印刷可能な印刷装置が複数存在する状況で、各印刷装置に装着された色インキの情報からフルカラーの原稿画像（主にＰＣ等で作成した画像データ）の色情報の特徴を反映した印刷色を実現可能な印刷装置を選択し、原稿画像により近い色で印刷を行うことができる孔版印刷システム及び孔版印刷方法を提供することを目的とする。
【課題を解決するための手段】
【０００６】
上述した課題を解決するために、本発明の請求項１に係る孔版印刷システムは、製版された孔版原紙を版胴の外周面に巻装し、複数種類の色インキから選択される色インキを版胴の内部に供給し、版胴の外周面に印刷用紙を押圧して印刷を行う複数の孔版印刷装置と、原稿画像データに応じて複数の孔版印刷装置から最適な孔版印刷装置を選択して印刷させる制御を行う印刷制御装置とがネットワークを介して互いに接続されてなる。そして、当該孔版印刷システムにおいて孔版印刷装置の各々は、搭載された色インキの色情報のデータをネットワークに送信するデータ送信手段と、ネットワークを介して送られた原稿画像データを受信するデータ受信手段と、該データ受信手段で受信した原稿画像データに基づいて孔版印刷動作を実行する制御を行う制御手段とを有する。また、印刷制御装置は、孔版印刷装置の各々に搭載された複数の色インキの色情報のデータをネットワークを介して取得するデータ取得手段と、色情報のデータと孔版印刷装置とを対応付けて登録する色情報登録手段と、原稿画像データの色情報を取得する原稿色取得手段と、全色インキの組合せにより再現可能な色に関する色情報と、原稿画像を表現するために必要な全ての色情報との色差値が記憶された色差情報記憶手段と、色差情報記憶手段に記憶された色差値のデータを参照して、色情報登録手段に登録された色情報から各孔版印刷装置で実現可能な印刷色と原稿色取得手段によって抽出された原稿画像データ内の所定の色との色差値を比較する色差情報参照手段と、色情報登録手段に登録された孔版印刷装置から色差情報参照手段で算出した色差値が最小になる色を実現可能な孔版印刷装置を選択する制御を行う装置選択制御手段と、ネットワークを介して選択された孔版印刷装置に原稿画像データを送信するデータ送信手段とを有する
請求項１に係る孔版印刷システムでは、印刷制御装置において、孔版印刷装置各々に搭載された複数の色インキの色情報のデータがネットワークを介して取得され、取得された色情報のデータと孔版印刷装置とが対応付けて登録され、原稿画像を表現するために必要な全ての色情報が抽出される。そして、色差情報記憶手段に予め用意された全色インキの組合せにより再現可能な色に関する色情報と、原稿画像を表現するために必要な全ての色情報との色差値のデータを参照して、各孔版印刷装置で実現可能な印刷色と原稿画像データ内の所定の色との色差値が比較され、算出した色差値が最小になる色を実現可能な孔版印刷装置が選択され、孔版印刷動作が実行される。
【０００７】
請求項２に係る発明は、請求項１に記載の孔版印刷システムにおいて、原稿色取得手段によって抽出された原稿画像データの色情報が単色であり、且つ色差情報参照手段によって算出された色差の最小値が所定の閾値以下に収まらないとき、装置選択制御手段は、色差値が最小になる色インキが装着された孔版印刷装置を選択し、該選択した孔版印刷装置に該色インキによる単色印刷を実行させることを特徴とする。
【０００８】
請求項２に係る孔版印刷システムでは、原稿画像データの色情報が単色、且つ色差値が所定の閾値以下に収まらないときには、色差値が最小になる色インキが装着された孔版印刷装置が選択され、選択された孔版印刷装置の色インキにより単色印刷が実行される。
【０００９】
請求項３に係る発明は、請求項１に記載の孔版印刷システムにおいて、原稿色取得手段によって抽出された原稿画像データの色情報が単色であり、且つ色差情報参照手段によって算出された色差値が所定の閾値以下に収まらないとき、装置選択制御手段は、黒インキが装着された孔版印刷装置を選択し、該選択した孔版印刷装置に前記黒インキによる単色印刷を実行させることを特徴とする。
【００１０】
請求項３に係る孔版印刷システムでは、原稿画像データの色情報が単色、且つ色差値が所定の閾値以下に収まらないときには、黒インキが装着された孔版印刷装置が選択され、黒インキによる単色印刷が実行される。
【００１１】
請求項４に係る発明は、請求項１に記載の孔版印刷システムにおいて、印刷制御装置が原稿画像データに使用されているオブジェクトが文字、イラスト、写真の何れであるか判定するオブジェクト判定手段と、印刷時に優先して再現する必要のある優先色を指定する優先色指定手段と、オブジェクトが前記優先色であるか判別する優先色判別手段とを備え、オブジェクト判定手段によって判定されたオブジェクトが優先色指定手段により予め設定された優先色のみからなるオブジェクトであるとき、色差情報参照手段が優先色についてのみ色差を算出することを特徴とする。
【００１２】
請求項４に係る孔版印刷システムでは、原稿画像データに使用されているオブジェクトが文字、イラスト、写真の何れであるか判定し、判定されたオブジェクトが予め設定された優先色のみからなるオブジェクトであるとき、優先色に対してのみ色差値が算出される。
【００１３】
請求項５に係る発明は、請求項４に記載の孔版印刷システムにおいて、印刷制御装置が優先色指定手段により設定された優先色に印刷指定色を設定する印刷色指定手段を備え、装置選択制御手段は、オブジェクト判定手段によって判定されたオブジェクトが優先色指定手段により予め設定された優先色のみからなるオブジェクトであって、前記優先色に印刷色指定手段によって印刷指定色が設定されているとき、色差情報参照手段によって算出された色差の最小値が零になる色を実現可能な孔版印刷装置を選択し、選択された孔版印刷装置に原稿画像データを送信する制御を行うことを特徴とする。
【００１４】
請求項５に係る孔版印刷システムでは、原稿画像データに使用されているオブジェクトが文字、イラスト、写真の何れであるか判定し、判定されたオブジェクトが予め設定された優先色のみからなるオブジェクトであって、この優先色に対して印刷色が指定されているときには、色差値が零になる色を実現可能な孔版印刷装置が選択される。
【００１５】
また、上述した課題を解決するために、本発明の請求項６に係る孔版印刷方法は、製版された孔版原紙を版胴の外周面に巻装し、複数種類の色インキから選択される色インキを版胴の内部に供給し、版胴の外周面に印刷用紙を押圧して印刷を行う複数の孔版印刷装置と、原稿画像データに応じて複数の孔版印刷装置から最適な孔版印刷装置を選択して印刷させる制御を行う印刷制御装置とがネットワークを介して互いに接続されてなる孔版印刷システムにおいて多色孔版印刷を行う孔版印刷方法であって、孔版印刷装置各々に搭載された複数の色インキの色情報のデータをネットワークを介して取得するデータ取得工程と、取得した色情報のデータと孔版印刷装置とを対応付けて登録する色情報登録工程と、原稿画像データの色情報を取得する原稿色取得工程と、印刷制御装置内のメモリに予め用意された全色インキの組合せにより再現可能な色に関する色情報と、原稿画像を表現するために必要な全ての色情報との色差値のデータを参照して、色情報登録工程で登録された色情報から各孔版印刷装置で実現可能な印刷色と原稿色取得工程で取得された原稿画像データ内の所定の色との色差値を比較する比較工程と、登録された孔版印刷装置から比較工程で算出した色差値が最小になる色を実現可能な孔版印刷装置を選択する装置選択工程と、選択された孔版印刷装置に原稿画像データを送信する工程と、送信された原稿画像データに基づいて孔版印刷動作を実行する工程とを有することを特徴とする。
【００１６】
請求項６に係る孔版印刷方法では、孔版印刷装置各々に搭載された複数の色インキの色情報のデータがネットワークを介して取得され、取得された色情報のデータと孔版印刷装置とが対応付けて登録され、原稿画像データの色情報が抽出される。そして、色差情報記憶手段に予め用意された全色インキの組合せにより再現可能な色に関する色情報と、原稿画像を表現するために必要な全ての色情報との色差値のデータを参照して、各孔版印刷装置で実現可能な印刷色と原稿画像データ内の所定の色との色差値が比較され、算出した色差値が最小になる色を実現可能な孔版印刷装置が選択され、孔版印刷動作が実行される。
【発明の効果】
【００１７】
本発明に係る孔版印刷システム及び孔版印刷方法によれば、多色印刷可能な印刷装置が複数存在する状況で、各孔版印刷装置に装着された色インキの情報からフルカラーの原稿画像の特徴を反映した印刷色を実現可能な印刷装置を自動的に選択することにより、原稿画像により近い色で印刷を行うことができるとともに、ユーザにとって煩雑な色インキの選択操作を低減することができる。
【発明を実施するための最良の形態】
【００１８】
以下、本発明の実施形態として示す孔版印刷システム１について、図面を参照して詳細に説明する。
【００１９】
図１には、本発明の実施形態として示す孔版印刷システム１の概略構成が示されている。孔版印刷システム１は、製版された孔版原紙を版胴の外周面に巻装し、複数種類の色インキから選択される色インキを版胴の内部に供給し、版胴の外周面に印刷用紙を押圧して印刷を行う孔版印刷装置２ａ，２ｂ，２ｃと、原稿画像データに応じて孔版印刷装置から最適な孔版印刷装置を選択して印刷させる制御を行う印刷制御装置３とを備え、これらがネットワーク４を介して互いに接続されてなる。ネットワーク４は、例えば、いわゆる無線ＬＡＮ、有線ＬＡＮ等のネットワーク、赤外線通信、或いはブルートゥース（登録商標）等を用いて構築される無線通信ネットワークである。また、複数のネットワークが互いに接続されてなる、いわゆるインターネットのような大規模ネットワークであってもよい。
【００２０】
本発明の実施形態として示す孔版印刷システム１は、印刷制御装置３が、孔版印刷装置２ａ〜２ｃの各々に搭載された複数の色インキの色情報のデータをネットワーク４を介して取得し、取得した色情報のデータと孔版印刷装置２ａ〜２ｃとを対応付けて登録する。印刷制御装置３は、フルカラーの原稿画像（主にＰＣ等で作成した画像データ）データから色情報を抽出し、メモリ等に予め用意された全色インキの組合せにより再現可能な色に関する色情報と原稿画像を表現するために必要な全ての色情報との色差値のデータを参照して、ネットワーク４に接続された孔版印刷装置のなかから、算出した色差値が最小になる色を実現可能な孔版印刷装置を選択し、取得した原稿画像データを選択した孔版印刷装置に対して送信する。印刷制御装置３から原稿画像データを受け取った孔版印刷装置において印刷が行われるというものである。孔版印刷システム１の具体的な動作についてはフローチャートを用いて後段で詳細に説明する。
【００２１】
まず、孔版印刷装置２ａ〜２ｃの構成について詳細に説明する。孔版印刷装置２ａ，２ｂ，２ｃは、本実施形態では、２色の版胴を用いて印刷用紙に２色のインキを順次付着させて画像を形成する２色孔版印刷装置であるとする。本実施形態では、説明の便宜上、ネットワーク４に接続された孔版印刷装置の番号を２ａ、２ｂ、２ｃと区別して表示しているが、三者は実際には同一構成でよいため、以下の説明では、孔版印刷装置２ａについてのみ説明する。なお、本実施形態では、ネットワーク４に接続される孔版印刷装置は、３つに限定されない。
【００２２】
図２に、孔版印刷システム１を構成する２色孔版印刷装置である孔版印刷装置２ａの構成を示す。図２に示す孔版印刷装置２ａは、スキャナ部１１と、製版部１２と、印刷部１３と、給紙部１４と、排紙部１５と、表示・入力部１６と、制御部１７とを備えている。
【００２３】
スキャナ部１１は、原稿を画像データとして読み取る画像データ取得部として機能するものであり、印刷対象となるカラー原稿を光学的に読み取って、このカラー原稿の画像データをＲＧＢデータとして出力する。スキャナ部１１により読み取られた原稿画像データは、制御部１７に供給される。
【００２４】
製版部１２は、制御部１７による制御のもとで孔版原紙に穿孔画像を形成（製版）するものであり、製版ユニットとしてユニット化されて筐体１８内に配設されている。この製版ユニットには、ロール状の孔版原紙やこの孔版原紙を送り操作する機構、制御部１７からの印刷データに応じて孔版原紙を溶融穿孔して穿孔画像を形成するサーマルヘッド、製版済みの孔版原紙を切断するカッタ等が設けられている。また、この製版ユニットは、図示しない移動手段によって図２中矢印Ａ方向に移動可能とされており、製版済みの孔版原紙を印刷部１３の第１版胴１９と第２版胴２０とにそれぞれ着版できるようになっている。
【００２５】
印刷部１３は、第１版胴１９及び第２版胴２０の２つの版胴と紙胴２１とを有している。これら第１版胴１９、第２版胴２０、紙胴２１は、それぞれ筐体１８内に回転自在に配設されている。そして、図示しないメインモータの駆動によって、第１版胴１９は図２中矢印Ｂ方向、第２版胴２０は図２中矢印Ｃ方向、紙胴２１は図２中矢印Ｄ方向に互いに同期してそれぞれ回転操作される。
【００２６】
第１版胴１９及び第２版胴２０の外周面にはそれぞれクランパ２２ａ，２３ａが設けられている。クランパ２２ａ，２３ａによって製版部１２で製版された孔版原紙の先端部がクランプされることにより、第１版胴１９及び第２版胴２０の外周面に製版済みの孔版原紙が着版される。また、これら第１版胴１９及び第２版胴２０の内部には、それぞれ中押しロール２２ｂ，２３ｂが配設されている。そして、これら中押しロール２２ｂ，２３ｂにより所定の印刷圧を付与することにより、第１版胴１９及び第２版胴２０の内部から孔版原紙が着版された外周面へと、第１色のインキ及び第２色のインキが供給される。なお、これら第１版胴１９及び第２版胴２０は、筐体１８に対して着脱可能とされており、これら第１版胴１９や第２版胴２０を交換することで、印刷に使用するインキ色を適宜変更できる。
【００２７】
また、紙胴２１の所定箇所には用紙クランパ２４ａが設けられている。そして、この用紙クランパ２４ａで印刷用紙の先端部をクランプすることで、印刷用紙を紙胴２１の外周面に沿って搬送できる。
【００２８】
印刷用紙は、この紙胴２１の外周面に沿って搬送されることで、その搬送過程において、製版済みの孔版原紙が着版された第１版胴１９の外周面及び第２版胴２０の外周面に順次圧接される。そして、各版胴１９，２０の内部から製版済みの孔版原紙を介して供給される第１色のインキ及び第２色のインキがそれぞれ印刷用紙に付着して、印刷用紙に各孔版原紙の穿孔画像が転写される。
【００２９】
給紙部１４は、印刷用紙が積載される給紙台２５と、この給紙台２５から印刷用紙を取り出す第１給紙ロール２６と、第１給紙ロール２６により取り出された印刷用紙を搬送する第２給紙ロール２７と、第２給紙ロール２７により搬送される印刷用紙を紙胴２１の外周面へと案内するガイド板２８とを有する。給紙部１４は、制御部１７による制御のもとで印刷部１３に対して所定のタイミングで印刷用紙を供給する。
【００３０】
排紙部１５は、印刷部１３で印刷が終了した印刷用紙を排出するものであり、紙胴２１の外周面から印刷用紙を剥離する用紙剥取り爪２９と、用紙剥取り爪２９で剥離された印刷用紙を搬送する排紙ロール３０と、排紙ロール３０により搬送された印刷用紙が載置される排紙台３１とを有している。
【００３１】
表示・入力部１６は、各種情報を表示すると共にユーザからの操作入力を受け付ける。表示・入力部１６は、スタートボタン、ストップボタン等の各種操作ボタンと、タッチパネル方式の液晶表示器（液晶タッチパネル）とを有している。液晶タッチパネルは、表示画面上にタッチパネルが設けられ、各種情報を表示する機能と操作入力を受け付ける機能との双方を備えている。
【００３２】
制御部１７は、孔版印刷装置２ａにおける各部の動作を統括して制御している。制御部１７は、スキャナ部１１で取得した画像データを孔版印刷装置２ａに対応した印刷データに変換し、この印刷データに応じて製版部１２における製版動作を制御し、また、印刷部１３における印刷動作や給紙部１４における給紙動作等の各部の動作制御を行う。したがって、孔版印刷装置２ａは、単体であっても、装着された色インキの組合せにより実現可能な色範囲で、読み取った原稿に基づいて印刷を行うことができる。また、本実施形態における孔版印刷装置２ａは、ネットワーク４を介して、印刷制御装置３から原稿画像データを取得し、取得した原稿画像データに基づく印刷も可能である。
【００３３】
また、孔版印刷装置２ａは、ネットワーク４に適合するデータフォーマットに変換し、該ネットワーク４を介して印刷制御装置３に対して印刷に必要な原稿画像データ等のデータを送受信するためのネットワークインターフェイス（以下、ネットワークＩ／Ｆと記す）３２を備えている。また、孔版印刷装置２ａは、自身に装着された色インキに関する色情報（インキデータ）をネットワークＩ／Ｆ３２によってネットワーク４に適合するデータフォーマットに変換し、該ネットワーク４を介して印刷制御装置３に送信する。
【００３４】
孔版印刷装置２ａの制御部１７は、ＣＰＵ、プログラムＲＯＭ及びデータＲＯＭ、ＲＡＭ、周辺回路等がバスを介して接続されたマイクロプロセッサ構成を有しており、ＣＰＵがＲＡＭをワークエリアとして利用してプログラムＲＯＭに格納された各種制御プログラムを実行することで、装置全体の一連の印刷動作を制御している。
【００３５】
図３に示すインキデータ格納部４２は、孔版印刷装置２ａで使用可能な各色（以下、孔版印刷装置２ａで使用可能なインキの数をＮ色とする。）のインキの特徴量を記憶している。例えば、上述した制御部１７のデータＲＯＭの所定の記憶領域を用いて構成される。ここで、インキの特徴量とは、孔版印刷装置２ａで使用可能なＮ色の各インキの特性を示す情報であり、例えば、ＣＩＥＬＡＢ表色系のＬ＊、ａ＊、ｂ＊から計算される色相角、彩度、明度等をいう。インキ特徴量のデータは、孔版印刷装置２ａで使用可能なＮ色のインキのＬ＊、ａ＊、ｂ＊の値を事前に測色、計算しておくことで求められたものであり、インキデータは、例えば、孔版印刷装置２ａに着脱可能とされたインキ供給手段等にＲＦＩＤ（Radio Frequency IDentification）方式により、いわゆる無線タグとして設けられている。このように無線タグに書き込まれたインキデータは、孔版印刷装置２ａに設けられた専用のリーダ等で読み取られ、インキデータ格納部４２に予め記憶されている。
【００３６】
上述した孔版印刷装置２ａは、当該装置単体で原稿の印刷を行う際には、印刷対象となるカラー原稿がスキャナ部１１にセットされて、製版開始を指示する旨のユーザによる指示入力が表示・入力部１６から入力されると、印刷対象となるカラー原稿がスキャナ部１１により読み取られ、このカラー原稿の原稿画像データが制御部１７に出力される。また、印刷制御装置３から原稿画像データが送られた場合には、ネットワークＩ／Ｆ３２において受信した原稿画像データが制御部１７に出力される。
【００３７】
制御部１７は、スキャナ部１１から出力された原稿画像データ又はネットワークＩ／Ｆ３２において受信した原稿画像データを当該孔版印刷装置２ａで２色印刷するための印刷データに変換して、この印刷データに応じて製版部１２のサーマルヘッドを駆動制御すると共に、孔版原紙の送り動作等を制御する。
【００３８】
これにより、第１色のインキ用の孔版原紙と第２色のインキ用の孔版原紙とがそれぞれ製版され、これら製版された孔版原紙が印刷部１３の第１版胴１９及び第２版胴２０の外周面にそれぞれ着版される。そして、印刷部１３の第１版胴１９及び第２版胴２０の外周面に製版済みの孔版原紙がそれぞれ着版された後、印刷開始を指示する旨のユーザによる指示入力が表示・入力部１６から入力されると、制御部１７による制御のもとで、印刷部１３の第１版胴１９及び第２版胴２０、紙胴２１が所定の回転速度で回転操作されると共に、給紙部１４から印刷部１３に所定のタイミングで印刷用紙が供給される。印刷部１３に供給された印刷用紙は、紙胴２１の外周面に沿って搬送され、その搬送過程において、製版済みの孔版原紙が着版された第１版胴１９の外周面及び第２版胴２０の外周面に順次圧接される。このとき、第１版胴１９及び第２版胴２０の内部から第１色のインキ及び第２色のインキがそれぞれ製版済みの孔版原紙を介して供給され、これら第１色のインキ及び第２色のインキが順次印刷用紙に付着して、印刷用紙に印刷対象となるカラー原稿に応じた２色の画像が印刷されることになる。そして、この２色の画像が印刷された印刷用紙は、排紙部１５の排紙台２０に排出される。
【００３９】
次に、孔版印刷システム１に適用される印刷制御装置３の主要部構成について、図４を用いて説明する。
【００４０】
印刷制御装置３は、孔版印刷装置２ａ〜２ｃと印刷に必要な原稿画像データ等のデータを、ネットワークを介して送受信するためのネットワークインターフェイス（以下、ネットワークＩ／Ｆと記す）５１と、印刷動作に関する各種情報を表示する表示部５２と、ユーザからの操作入力を受け付ける操作部５３とを備え、これら各構成は、制御部５４によって統括して制御されている。また、印刷制御装置３は、原稿画像データを作成するための原稿画像作成部５０を備えている。
【００４１】
印刷制御装置３は、ネットワークに接続可能であり、原稿色に応じて最適な孔版印刷装置を選択する一連の処理（後述する）のほか、印刷制御装置３自身において原稿画像を作成することが可能な情報処理装置であればよい。したがって、汎用のパーソナルコンピュータは、本実施形態の印刷制御装置３として適用可能である。
【００４２】
表示部５２は、一連の印刷処理、原稿画像作成部５０により原稿画像を作成する操作、また、印刷制御装置自身において原稿画像を作成に関する情報や操作画面が表示される。表示部としては、液晶表示装置（ＬＣＤ：Liquid Crystal Display）、陰極線管（ＣＲＴ：Cathode Ray Tube）ディスプレイ等を用いることができる。操作部５３は、ユーザからの操作入力を受け付けるものであり、印刷制御装置３では、より幅広い操作入力が可能なようにキーボード、マウス等である。また、各種操作ボタン、タッチパネル方式の液晶表示器（液晶タッチパネル）等を備えていてもよい。
【００４３】
印刷制御装置３の制御部５４は、ＣＰＵ、プログラムＲＯＭ及びデータＲＯＭ、ＲＡＭ、周辺回路等がバスを介して接続されたマイクロプロセッサ構成を有しており、ＣＰＵがＲＡＭをワークエリアとして利用してプログラムＲＯＭ或いはハードディスク等の記憶部に格納された各種制御プログラムを実行することで、印刷制御装置３全体の動作及び孔版印刷装置２ａ〜２ｃの動作を制御している。制御部５４のプログラムＲＯＭには、印刷対象となるカラー原稿に応じた最適な２色のインキを備えた孔版印刷装置を判定する処理を行うための色インキ及び孔版印刷装置選択プログラムが格納されている。制御部５４のＣＰＵがこのプログラムを実行することによって、後述の図５に示す機能が制御部５４で実現される。
【００４４】
図５には、印刷制御装置３の制御部５４の機能構成が示されている。制御部５４は、原稿画像データ取得部６１と、色情報登録部６３と、色差情報格納部６４と、色差情報参照部６５と、装置選択部６６の各機能構成を備え、孔版印刷装置を駆動するためのドライバ（プリンタドライバ）を構成している。
【００４５】
原稿画像データ取得部６１は、原稿画像作成部５０より原稿画像データを受け取る。
【００４６】
色情報登録部６３は、ネットワークＩ／Ｆ５１を介して孔版印刷装置２ａ〜２ｃから取得した、各装置に装着された色インキの色情報のデータを対応付けて登録する。色情報登録部６３は、例えば、制御部５４のワークエリアとしてのＲＡＭの所定の記憶領域を用いて構成される。
【００４７】
色差情報格納部６４は、全色インキの組合せにより再現可能な色に関する色と、原稿画像の色との色差値を記憶している。例えば、ある孔版印刷装置に装着できる色インキの数がＫ種類であり、各色インキに対してＭ段階の濃度調節が可能であり、２色の色インキの配合割合がＮ通り（但し、どちらかが０％の場合を除く）可能であるような性能を有する孔版印刷装置では、単色で表現できる印刷色の総数がＭＫ通りであり、２色の色インキで表現可能な印刷色の総数がＭＮＫ（Ｋ−１）／２と表される。
【００４８】
そこで、ある２種類の色インキが装着された孔版印刷装置１台で表現できる（ＭＫ）＋（ＭＮＫ（Ｋ−１）／２）通りの色の個々に対して、原稿画像に存在する色数との色差εを予め算出しておく。ある色に対する色差εは、ＣＩＥＬＡＢ表色系のＬ＊、ａ＊、ｂ＊を用いると、ε＝（（Ｌ−Ｌ’）２＋（ａ−ａ’）２＋（ｂ−ｂ’）２）１／２で表される。
【００４９】
原稿画像の色数は、ＲＧＢの組合せでは、２５６×２５６×２５６＝１６７７７２１６通りあるので、ある２種類の色インキが装着された孔版印刷装置１台で表現できる（ＭＫ）＋（ＭＮＫ（Ｋ−１）／２）通りの色の個々に対する色差、すなわち、２５６×２５６×２５６（（ＭＫ）＋（ＭＮＫ（Ｋ−１）／２））通りの色差を予め算出して用意し、更に、全てのＲＧＢ値（１６７７７２１６通り）と、ある２種類の色インキで表現できる（ＭＫ）＋（ＭＮＫ（Ｋ−１）／２）通りの色の個々に対する色差εの最小値を算出しておく。同様に、全ての色インキの組合せ毎に色差の最小値を算出する。これを色差情報テーブルとして用意する。色差情報格納部６４は、例えば、制御部５４に備えられたデータＲＯＭの所定の記憶領域を用いて構成される。
【００５０】
色差情報参照部６５は、色差情報格納部６４に記憶されている色差情報を参照して、色変換部６２から供給される情報、すなわち原稿画像データ取得部６１によって取得した原稿画像を構成する各ピクセルの色情報（ＲＧＢ）と、孔版印刷装置２ａ〜２ｃのそれぞれにおいて実現可能な印刷色との色差値を求め、装置選択部６６に供給する。
【００５１】
色差情報参照部６５では、色情報がＲＧＢデータとして入力された原稿画像データと、ネットワーク４に接続された孔版印刷装置２ａ〜２ｃに装着された色インキの組合せによって実現可能な印刷色との色差の最小値を、色差情報格納部６４に記憶された色差情報テーブルを参照して求める。
【００５２】
例えば、原稿画像データのある１ピクセルの色情報が（Ｒ，Ｇ，Ｂ）＝（２５５，０，０）であって、色インキの組合せが赤と黒である孔版印刷装置では、原稿画像データの該色と印刷色との色差εがε＝７であり、例えば、原稿画像データのある１ピクセルの色情報が（Ｒ，Ｇ，Ｂ）＝（０，０，２５５）であって、色インキの組合せが赤と黒である孔版印刷装置では、原稿画像データの該色と印刷色との色差εがε＝５０であり、原稿画像データのある１ピクセルの色情報が（Ｒ，Ｇ，Ｂ）＝（０，０，２５５）であって、色インキの組合せが赤と青である孔版印刷装置では、原稿データの該色と印刷色との色差εがε＝５と求められる。
【００５３】
ここでは、色差情報テーブルへの入力値はＲＧＢ値としたが、必ずしもＲＧＢ値に限定されない。入力値がＲＧＢ値であるか、Ｌ＊ａ＊ｂ＊値であるかＨａｂＣａｂＬ値であるかということは、このテーブルを作成する際に、入力値を表現するための色空間として、どれを採用したのかの違いであり、原稿画像データがどのような色空間の値で与えられていても該当する色空間での値に変換してから入力すればよい。
【００５４】
装置選択部６６は、原稿画像を構成する各ピクセルの色差値に対して、色差が最小になる印刷色を再現可能な孔版印刷装置を選択する。装置選択部６６における選択結果は、表示部５２にも供給され、ユーザに提示されてもよい。
【００５５】
具体的に、装置選択部６６は、原稿画像データにあるピクセルの色を２４ｂｐｐフルカラーで抽出し、上述した色差情報テーブルから求めた色差εｎ，ａを判断値ＳＵＭａに加算していく。ここで、ｎは、１〜Ｎ（但し、Ｎは原稿画像データ内の全ピクセル数）であり、ａは、１〜Ａ（但し、Ａは登録された孔版印刷装置の数）の値をとる。Ａの最小値は２である。そして、装置選択部６６によりＳＵＭａの値が最も小さいものが最適な孔版印刷装置と判断される。選択された孔版印刷装置に対して原稿画像データを送信する（図６に示すフローチャート参照）。仮に、判断値ＳＵＭを最小とする孔版印刷装置が複数存在するときなど、最適な孔版印刷装置を一意に決定することが困難な場合には、予め決められた優先順位にしたがって、原稿画像データの送信先となる孔版印刷装置を決定すればよい。
【００５６】
また、装置選択部６６は、原稿画像データ取得部６１によって取得された原稿画像の色が単色であり、色差情報テーブルから求められる色差値が所定の閾値以下に収まらないとき、色差値が最小になる色インキが装着された孔版印刷装置を選択し、選択した孔版印刷装置に該色インキによる単色印刷を実行させる（図７，図９のフローチャート参照）。
【００５７】
このような状況にある場合、装置選択部６６は、黒インキが装着された孔版印刷装置を積極的に選択し、該選択した孔版印刷装置に黒インキによる単色印刷を実行させる設定になっていてもよい（図７，図８のフローチャート参照）。
【００５８】
続いて、図６のフローチャートを参照して、本発明の実施形態として示す孔版印刷システム１における印刷制御装置３による印刷動作の一例について説明する。
【００５９】
印刷制御装置３における制御部５４は、ステップＳ１において、ネットワーク４に接続された孔版印刷装置と、この孔版印刷装置に装着された色インキの色情報を取得し、色情報登録部６３に登録する。ステップＳ２において、原稿画像データ取得部６１において原稿画像データを取得し、原稿上のピクセルｎの色情報Ｉｎを抽出する。ステップＳ３において、孔版印刷装置の何れかにおいて色情報Ｉｎの印刷を行ったときの色差εｎ，ａを求める。
【００６０】
ステップＳ４において、原稿画像データにあるピクセルの色（Ｉｎ）を２４ｂｐｐフルカラーで抽出し、色差情報テーブルから求めた色差εｎ，ａを判断値ＳＵＭａに加算していく。ここで、ｎは、１〜Ｎ（但し、Ｎは原稿画像データ内の全ピクセル数）であり、ａは、１〜Ａ（但し、Ａは登録された孔版印刷装置の数）の値をとる。
【００６１】
ステップＳ５において、制御部５４は、ｎ≧Ｎ、すなわち、全てのピクセルに対して加算処理が終わったか判別する。終了していなければ、ステップＳ６において、ｎを１インクリメントして、ステップＳ２から繰り返す。終了していれば、ステップＳ７において、ａ≧Ａ、すなわち、登録された全ての孔版印刷装置のうちの各々の孔版印刷装置で表現可能な色に対して色差を求める処理が終了したか判別する。
【００６２】
終了していなければ、ステップＳ８において、ａを１インクリメントして、ステップＳ２から繰り返す。終了していれば、ステップＳ９において、判断値ＳＵＭの最小値を検証し、判断値ＳＵＭの最小値を有する孔版印刷装置が１つだけであるか否か判別する。１つだけであれば、ステップＳ１０において、判断値ＳＵＭが最小になる孔版印刷装置に対して、原稿画像データを送信する。
【００６３】
ステップＳ９において、判断値ＳＵＭが最小になる孔版印刷装置が複数存在する場合には、ステップＳ１１において、予め設定された優先度が高い孔版印刷装置を選択して、選択した孔版印刷装置に対して、原稿画像データを送信する。
【００６４】
具体的に、孔版印刷システム１においてネットワーク４に接続された孔版印刷装置２ａの一方の版胴に赤インキがセットされ、他方の版胴に黒インキがセットされ、孔版印刷装置２ｂには赤インキと青インキがセットされ、優先順位が「１：孔版印刷装置２ａ、２：孔版印刷装置２ｂ」という条件の場合について示す。このとき、上述した図６に示す印刷動作によれば、ユーザが印刷制御装置３に対して、印刷を開始する指示を与えると、印刷制御装置３は、登録された孔版印刷装置から、印刷可能な色インキの色情報を取得する。また、原稿画像データを取得する。
【００６５】
これらの情報から、原稿画像と実際に出力される色との色差が求められ、孔版印刷装置毎に判断値が求められる。この状況で原稿画像が、例えば、カラー写真の場合は、孔版印刷装置２ｂが選択される。これは、一般的に赤黒２色のインキで再現できる色範囲よりも、赤青で再現できる色範囲の方が広いためである。再現可能な印刷色の判定が困難である場合には、優先順位にしたがって、孔版印刷装置が選択される。この場合は、孔版印刷装置２ａで印刷が行われることになる。
【００６６】
なお、色インキの色情報を取得するには、ネットワーク４に接続された孔版印刷装置を監視するソフトウェア等を利用することができる。ネットワーク監視用のソフトウェアであるモニタリングツールを印刷制御装置３としてのＰＣにインストールする。このツールは、ネットワーク４を介して、接続された孔版印刷装置（２ａ〜２ｃ）に装着された色インキの色情報を定期的に或いは随時取得し、色情報登録部６３に、孔版印刷装置毎にステータスファイルを作成する仕組みになっている。制御部５４の機能であるプリンタドライバは、ユーザが設定画面を開いた、若しくは印刷指示を入力したタイミングで登録された全ての孔版印刷装置のステータスファイルを読み込み、各々について色情報を取得する。
【００６７】
以上説明したように、孔版印刷システム１によれば、ユーザからみれば、印刷制御装置３によって原稿画像データの印刷に最適な印刷色が再現可能な孔版印刷装置が自動的に選択されることになる。したがって、孔版印刷システム１では、印刷時に複数の孔版印刷装置のなかからユーザが手動で印刷先のプリンタを選択する手間が軽減され、更にユーザによる判断が困難な色相を有する原稿であっても、印刷に最適な孔版印刷装置を選択することができる。
【００６８】
続いて、取得された原稿画像の色が単色であり、色差情報テーブルから求められる色差値が所定の閾値以下に収まらないとき、色差値が最小になる色インキが装着された孔版印刷装置を選択し、選択した孔版印刷装置に該色インキによる単色印刷を実行させる場合の動作について、図７〜図９のフローチャートを用いて説明する。
【００６９】
印刷コストをより削減するためには、画像データが単色で形成されている場合には、わざわざ版胴を２つ使用して混色して原稿色を再現するよりは、黒インキが装着された孔版印刷装置を積極的に選択し、黒インキによる単色印刷を実行させる方がよい場合がある。この場合の印刷動作例を図７，図８のフローチャートに示す。
【００７０】
印刷制御装置３における制御部５４は、ステップＳ２１において、ネットワーク４に接続された孔版印刷装置と、この孔版印刷装置に装着された色インキの色情報を取得し、色情報登録部６３に登録する。ステップＳ２２において、原稿画像データ取得部６１において原稿画像データを取得し、原稿上のピクセルｎの色情報Ｉｎを抽出する。ステップＳ２３において、孔版印刷装置の何れかにおいて色情報Ｉｎの印刷を行ったときの色差εｎ，ａを求める。
【００７１】
次に、ステップＳ２４において、ピクセル毎に色差εｎ，ａと閾値αとを比較する。閾値αを超えた場合には、後述のステップＳ４０に進む。ここでは、色差が閾値αを超えたピクセルの数をｘ（但し、ｘ＝１〜Ｎ（Ｎ：ピクセル数の最大値））と定義する。
【００７２】
色差εｎ，ａ＜αのとき、ステップＳ２５において、原稿画像データにあるピクセルの色（Ｉｎ）を２４ｂｐｐフルカラーで抽出し、色差情報テーブルから求めた色差εｎ，ａを判断値ＳＵＭａに加算していく。ここで、ｎは、１〜Ｎ（但し、Ｎは原稿画像データ内の全ピクセル数）であり、ａは、１〜Ａ（但し、Ａは登録された孔版印刷装置の数）の値をとる。
【００７３】
ステップＳ２６において、制御部５４は、ｎ≧Ｎ、すなわち、全てのピクセルに対して加算処理が終わったか判別する。終了していなければ、ステップＳ２７において、ｎを１インクリメントして、ステップＳ２２から繰り返す。終了していれば、ステップＳ２８において、ａ≧Ａ、すなわち登録された全ての孔版印刷装置の各々で表現可能な色に対して色差を求める処理が終了したか判別する。終了していなければ、ステップＳ２９において、ａを１インクリメントして、ステップＳ２２から繰り返す。終了していれば、ステップＳ３０に進む。
【００７４】
一方、ステップＳ２４において、ピクセルの色差εｎ，ａが閾値αを超えた場合、ステップＳ４０において、色差が閾値αを超えたピクセルの数ｘがｘ≧β、すなわち、一定数βを超えたか否か判別する。超えない場合には、ステップＳ４１において、ｘを１インクリメントし、ステップＳ２５に戻る。βを超えた場合には、ステップＳ４２において、この色を含む印刷色を再現する孔版印刷装置を判断対象から除くために、判断値ＳＵＭを−１とし、ステップＳ２８に進む。
【００７５】
制御部５４は、ステップＳ３０において、登録された孔版印刷装置のうち、判断対象から除かれた孔版印刷装置を除外するために、判断値ＳＵＭ≧０であるか判別する。登録された孔版印刷装置のうち判断値が負でないものが１つでも存在すれば、ステップＳ３１において、判断値ＳＵＭの最小値を検証し、判断値ＳＵＭの最小値を有する孔版印刷装置が１つだけであるか否か判別する。１つだけであれば、ステップＳ３２において、判断値ＳＵＭが最小になる孔版印刷装置に対して、原稿画像データを送信する。
【００７６】
ステップＳ３１において、判断値ＳＵＭが最小になる孔版印刷装置が複数存在する場合には、ステップＳ３２において、予め設定された優先度が高い孔版印刷装置を選択して、選択した孔版印刷装置に対して、原稿画像データを送信する。
【００７７】
ステップＳ３０において、登録された孔版印刷装置のうち、判断値ＳＵＭが負のものが存在する場合には、ステップＳ４３において、ａ≧Ａ、すなわち登録された全ての孔版印刷装置の各々で表現可能な色に対して色差を求める処理が終了したか判別する。
【００７８】
終了していなければ、ステップＳ４４において、ａを１インクリメントして、ステップＳ３０から繰り返す。終了していれば、ステップＳ４５において、黒インキが装着された孔版印刷装置が存在するか否か判別する。存在していれば、ステップＳ４６において、黒インキが装着された孔版印刷装置を選択し、ステップＳ４７において、黒インキが装着された孔版印刷装置に原稿画像データを送信する。また、黒インキが装着された孔版印刷装置が存在しなければ、ステップＳ４８において、エラー表示を行い、ステップＳ４９において、ユーザからの入力を待機する。
【００７９】
以上説明した、積極的に黒インキを選択する場合に対して、色差値が最小になる色インキが装着された孔版印刷装置を選択し、選択した孔版印刷装置に該色インキによる単色印刷を実行させる場合の動作について、図７，図９のフローチャートを用いて説明する。
【００８０】
この場合には、ステップＳ４３において、ａ≧Ａ、すなわち登録された全ての孔版印刷装置の各々で表現可能な色に対して色差を求める処理が終了したか判別し、終了していれば、色差情報テーブルを参照して、登録された色インキのそれぞれに対して判断値ＳＵＭを計算し、最小値を検証する。
【００８１】
すなわち、ステップＳ５０において、原稿上のピクセルｎの色情報Ｉｎを抽出する。次に、ステップＳ５１において、孔版印刷装置の何れかにおいて色情報Ｉｎの印刷を行ったときの色差εｎ，ｂを求める。
【００８２】
ステップＳ５２において、原稿画像データにあるピクセルの色（Ｉｎ）を２４ｂｐｐフルカラーで抽出し、色差情報テーブルから求めた色差εｎ，ｂを判断値ＳＵＭｂに加算していく。ここで、ｎは、１〜Ｎ（但し、Ｎは原稿画像データ内の全ピクセル数）であり、ａは、１〜Ａ（但し、Ａは登録された孔版印刷装置の数）の値をとる。
【００８３】
ステップＳ５３において、制御部５４は、ｎ≧Ｎ、すなわち、全てのピクセルに対して加算処理が終わったか判別する。終了していなければ、ステップＳ５４において、ｎを１インクリメントして、ステップＳ５０から繰り返す。終了していれば、ステップＳ５５において、ａ≧Ａ、すなわち登録された全ての孔版印刷装置の各々で表現可能な色に対して色差を求める処理が終了したか判別する。
【００８４】
終了していなければ、ステップＳ５６において、ａを１インクリメントして、ステップＳ２から繰り返す。終了していれば、ステップＳ５７において、判断値ＳＵＭの最小値を検証し、判断値ＳＵＭの最小値を有する色インキ（単色）が装着された孔版印刷装置が１つだけであるか否か判別する。１つだけであれば、ステップＳ５８において、判断値ＳＵＭが最小になる色インキ（単色）が装着された孔版印刷装置に対して、原稿画像データを送信する。
【００８５】
ステップＳ５７において、判断値ＳＵＭが最小になる色インキ（単色）が装着された孔版印刷装置が複数存在する場合には、ステップＳ５９において、予め設定された優先度が高い孔版印刷装置を選択して、選択した孔版印刷装置に対して、原稿画像データを送信する。
【００８６】
具体的に、孔版印刷システム１においてネットワーク４に接続された孔版印刷装置２ａの一方の版胴に赤インキがセットされ、他方の版胴に黒インキがセットされ、孔版印刷装置２ｂには黄インキと黒インキがセットされ、優先順位が「１：孔版印刷装置２ａ、２：孔版印刷装置２ｂ」という条件の場合について示す。
【００８７】
例えば、原稿が白い背景に緑色で文字が書かれたものであった場合、原稿色の再現性を最もよくするためには、黄インキと黒インキがセットされた孔版印刷装置２ｂにより２色印刷を行うことである。しかし、孔版印刷装置２ｂにより再現できる色範囲と原稿色の色差が予め設定された閾値によっては、この閾値以下に収まらないことがある。このとき、上述した図７，図８に示す印刷動作では、孔版印刷装置２ｂにより２色印刷を行うよりも、黒１色で印刷することの方が適当である判断され、優先順位の高い孔版印刷装置２ａにより、黒インキ単色で印刷することがユーザに提案される。
【００８８】
実際には、上述の条件下では、孔版印刷装置２ａ，２ｂの何れを用いても、原稿色と全く同一の印刷色を再現することができないので、上述の印刷動作を実行して黒１色で印刷することにより印刷コストを低減することができる。
【００８９】
また、孔版印刷システム１に関する条件が同一であって、例えば、原稿が白い背景に燈色で文字が書かれたものであった場合、上記と同様に孔版印刷装置２ｂにより２色印刷を行う方が色の再現性がよいが、やはり設定された閾値によっては、色差が閾値以下に収まらないことがある。このとき、上述した図７，図９に示す印刷動作では、孔版印刷装置２ｂにより２色印刷を行うよりも、原稿色との色差が最小となる色インキ（単色）で印刷することの方が適当である判断され、該当する色インキ（本実施形態では赤）が装着された孔版印刷装置２ａで印刷することがユーザに提案される。
【００９０】
更に、孔版印刷システム１において、一方の版胴に黄インキがセットされ、他方の版胴に青インキがセットされた孔版印刷装置２ｃがネットワーク４上に追加された場合について示す。このときの優先順位は、「１：孔版印刷装置２ａ、２：孔版印刷装置２ｂ、３：孔版印刷装置２ｃ」である。
【００９１】
この場合、孔版印刷装置２ｃにより再現できる印刷色の色範囲と原稿色との色差は、上述の閾値以下に収まる。したがって、このような色インキの組合せをもつ場合では、孔版印刷装置２ｃが選択され、孔版印刷装置２ｃに原稿画像データが送信される。なお、閾値は、原稿色毎に設定できるようにしてもよい。閾値を０にすることにより、全く同色となる色以外での印刷を禁止することができる。
【００９２】
以上説明したように、孔版印刷システム１によれば、ユーザからみれば、印刷制御装置３によって原稿画像データの印刷に最適な印刷色が再現可能な孔版印刷装置が自動的に選択されることになる。したがって、孔版印刷システム１では、印刷時に複数の孔版印刷装置のなかからユーザが手動で印刷先のプリンタを選択する手間が軽減され、更にユーザによる判断が困難な色相を有する原稿であっても、印刷に最適な孔版印刷装置を選択することができる。また、原稿画像が単色で形成されている場合には、自動的に黒インキを選択することにより、印刷コストの低減を優先させることができる。また、ある程度の再現性を確保して、最も近い色インキ（単色）で印刷することもできる。但し、孔版印刷システム１では、色の再現性を優先するか、印刷コストの低減を優先するかがユーザにより設定可能になっていてもよい。
【００９３】
次に、本発明の別の実施形態について説明する。図１０に、孔版印刷システム１における印刷制御装置３の制御部５４の機能構成の別の実施形態を示す。
【００９４】
本発明の別の実施形態では、印刷制御装置３の制御部５４が、が原稿画像に使用されているオブジェクトが文字、イラスト、写真の何れであるか判定するオブジェクト判定部７１と、印刷時に優先して再現する必要のある優先色を指定する優先色指定部７２と、オブジェクトが指定された優先色であるか判別する優先色判別部７３と、印刷時に印刷色が指定される印刷色指定部７４を備える点が特徴である。
【００９５】
この実施形態では、オブジェクト判定部７１によって判定されたオブジェクトが優先色指定部７２により予め設定された優先色のみからなるオブジェクトであるとき、色差情報参照部６５が優先色についてのみ色差値を算出する。すなわち、ユーザによって指定された優先色で形成されたオブジェクトが原稿画像データのなかに存在する場合には、優先色で形成されたオブジェクトの色の再現性を重視して孔版印刷装置を選択することができる。
【００９６】
また、装置選択部６６は、オブジェクト判定部７１によって判定されたオブジェクトが予め設定された優先色のみからなるオブジェクトであって、この優先色に対して印刷色指定部７４によって印刷色が指定されているとき、色差情報参照部６５によって算出された色差値が零になる色を実現可能な孔版印刷装置を選択し、選択された孔版印刷装置に原稿画像データを送信する。
【００９７】
図１１，図１２のフローチャートを参照して、図１０に示す制御部５４がオブジェクトとその優先色を考慮して印刷するときの印刷動作の一例について説明する。
【００９８】
印刷制御装置３における制御部５４は、ステップＳ６０において、ネットワーク４に接続された孔版印刷装置と、この孔版印刷装置に装着された色インキの色情報を取得し、色情報登録部６３に登録する。ステップＳ６１において、原稿画像データに含まれるオブジェクトを抽出する。そして、ステップＳ６２において、抽出された各オブジェクトのなかに優先色ｖのみからなるオブジェクトが存在するか否か判別する。存在する場合には、ステップＳ６３において、孔版印刷装置の何れかにおいて優先色ｖの印刷を行ったときの色差εｖ，ａを求める。存在しない場合には、ステップＳ７１に進む。
【００９９】
そして、ステップＳ６４において、ａ≧Ａ、すなわち登録された全ての孔版印刷装置の各々で表現可能な色に対して優先色ｖとの色差εｖ，ａを求める処理が終了したか判別する。終了していなければ、ステップＳ６５において、ａを１インクリメントして、ステップＳ６３から繰り返す。全ての孔版印刷装置に対して優先色ｖとの色差εｖ，ａを求める処理が終了した場合には、ステップＳ６６において、各孔版印刷装置に装着された色インキの組合せにより色差εｖ，ａを閾値αｖ以下にできる孔版印刷装置が存在するか判別する。存在しなければ、ステップＳ７１に進む。
【０１００】
色差εｖ，ａ＜閾値αｖの孔版印刷装置が存在するとき、ステップＳ６７において、優先色を考慮するフラグを立て、ステップＳ６８において、色差εｖ，ａの最小値を検証し、色差εｖ，ａの最小値を有する孔版印刷装置が１つだけであるか否か判別する。１つだけであれば、ステップＳ６９において、色差εｖ，ａが最小になる孔版印刷装置に対して、原稿画像データを送信する。
【０１０１】
ステップＳ６８において、色差εｖ，（ａ〜Ａ）が最小になる孔版印刷装置が複数存在する場合には、ステップＳ７０において、色差εｖの最小値を有する孔版印刷装置以外を比較対象から外し、ステップＳ７１に進む。
【０１０２】
ステップＳ６２において、各オブジェクトのなかに優先色ｖのみからなるオブジェクトが存在しないと判別された場合、またステップＳ６６において、各孔版印刷装置に装着された色インキの組合せにより色差εｖ，ａを閾値αｖ以下にできる孔版印刷装置が存在しないと判別された場合、また、ステップＳ７０において、色差εｖの最小値を有する孔版印刷装置以外を比較対象から外す設定を行った後、ステップＳ７１において、優先色ｖ≧Ｖ（但し、Ｖは、優先色の数の最大値）、すなわち、全ての優先色に対してオブジェクトの抽出と孔版印刷装置の決定が終わったか否か判別する。終了していない場合には、ステップＳ７２において、ｖを１インクリメントし、ステップＳ６２から繰り返す。
【０１０３】
終了した場合には、ステップＳ７３において、優先色を考慮するフラグをチェックする。フラグがある場合には、ステップＳ７４以降、オブジェクト判定のない場合と同様の処理が実行される。すなわち、図６のステップＳ２以降の処理に準ずる。
【０１０４】
一方、優先色考慮のフラグがない場合には、ステップＳ７５において、例えば、ユーザに対して、「優先色を考慮せずに印刷が行われてもよいか」尋ねる旨のメッセージを表示する。続いてステップＳ７６において、孔版印刷装置の選択処理を続行するか否かの確認メッセージを表示する。処理を続行する選択がされた場合には、ステップＳ７４に進む。一方、処理を続行する選択がされない場合には、ステップＳ７７において、ユーザからの入力待機モードに移行する。
【０１０５】
具体的に、オブジェクト判別を行って最適な孔版印刷装置を選択する場合について説明する。孔版印刷装置２ａの一方の版胴に赤インキがセットされ、他方の版胴に黒インキがセットされ、孔版印刷装置２ｂには黄インキと黒インキがセットされ、孔版印刷装置２ｃには黄インキと青インキがセットされ、優先順位が「１：孔版印刷装置２ａ、２：孔版印刷装置２ｂ、３：孔版印刷装置２ｃ」という条件の場合について示す。
【０１０６】
原稿は、背景が白で、緑色で文字が書かれたものであり、原稿に使用されているオブジェクトが文字のみであるとき、色の再現性よりも、文字が読めることと印刷コストの削減の何れかを優先させる。オブジェクトが文字の場合、例えば、黒インキでの単色印刷が選択される。ユーザが視認するのに最適なのは、黒色であると考えられるためである。この場合、優先順位が高い孔版印刷装置２ａが選択される。同様に、原稿が白い背景に燈色で文字が書かれている場合、オブジェクト判別を行った結果、孔版印刷装置２ａで黒色印刷が選択される。
【０１０７】
また、原稿を印刷する際に優先する優先色が設定されている場合について、孔版印刷装置２ａの一方の版胴に赤インキがセットされ、他方の版胴に青インキがセットされ、孔版印刷装置２ｂには赤インキと黒インキがセットされた条件下での印刷動作について説明する。原稿は、図１５に例示する葉書を使用する。図１５に示す葉書１００には、領域１０１に赤色の枠線で描かれたオブジェクトと、領域１０２、領域１０３に黒色の文字オブジェクトと、領域１０４にコーポレートカラー（シンボルカラーともいう）で描かれたオブジェクト（コーポレートマーク）が描かれている。ここでは、コーポレートカラーは、紫色であるとする。
【０１０８】
図１０に示す機能構成を備える制御部５４は、まず、図１５に示す葉書に使用されているオブジェクトが文字・イラスト・写真の何れかであるかを判別する。原稿のなかに、予め登録された優先色のみからなるオブジェクトが含まれていた場合、上述した図１１，図１２のフローチャートに示した処理により、その優先色を再現できる孔版印刷装置が選択される。例えば、色の優先順位が「１．コーポレートカラー、２．黒、３．赤」と設定された場合、孔版印刷装置２ａが選択される。孔版印刷装置２ａには、赤インキと青インキがセットされているので、優先順位が最も高いコーポレートカラーを指定された色で印刷するには最適である。しかし、原稿色が黒である文字オブジェクトは、同一色が表現できないので、上述した処理では、赤インキと青インキから再現可能な、黒との色差が最小になる色で印刷されることになる。
【０１０９】
また、色の優先順位が「１．赤、２．黒、３．コーポレートカラー」と設定された場合には、孔版印刷装置２ｂが選択される。孔版印刷装置２ａには、赤インキと黒インキがセットされているので、原稿色が紫色である文字オブジェクトは、同一色で表現することができない。この場合、コーポレートマークは、赤インキと黒インキから再現可能な、紫との色差が最小になる色で印刷されることになる。
【０１１０】
次に、図１３，図１４のフローチャートを参照して、図１０に示す制御部５４がオブジェクトを指定された印刷色で印刷するときの印刷動作の一例について説明する。
【０１１１】
印刷制御装置３における制御部５４は、ステップＳ８０において、ネットワーク４に接続された孔版印刷装置と、この孔版印刷装置に装着された色インキの色情報を取得し、色情報登録部６３に登録する。ステップＳ８１において、原稿画像データに含まれるオブジェクトを抽出する。そして、ステップＳ８２において、抽出された各オブジェクトのなかに優先色ｖのみからなるオブジェクトが存在するか否か判別する。存在しない場合には、ステップＳ９８に進む。
【０１１２】
存在する場合には、ステップＳ８３において、優先色ｖに対して、優先色ｖを何色で印刷するかという印刷指定色Ｖｗが指定されているか判別する。印刷指定色が指定されていない場合には、ステップＳ８４以降、印刷指定色Ｖｗを考慮しない場合と同様の処理を行う。すなわち、図１１のステップＳ６３以降の処理に準ずる。
【０１１３】
また、印刷指定色Ｖｗが指定されている場合には、ステップＳ８５において、登録された孔版印刷装置について、印刷指定色Ｖｗを印刷するときの色差εｖｗ，ａを求める。ステップＳ８６において、色差εｖｗ，ａ＝０であるか判別する。色差εｖｗ，ａ＝０であれば、ステップＳ８７において、孔版印刷装置ａは印刷指定色Ｖｗを印刷できることを表すフラグを立てる。色差εｖｗ，ａ＝０でないときには、ステップＳ８８に進む。
【０１１４】
ステップＳ８８では、ａ≧Ａ、すなわち登録された全ての孔版印刷装置の各々で表現可能な色に対して印刷指定色Ｖｗとの色差εｖｗ，ａを求める処理が終了したか判別する。終了していなければ、ステップＳ８９において、ａを１インクリメントして、ステップＳ８５から繰り返す。全ての孔版印刷装置に対して印刷指定色Ｖｗとの色差εｖｗ，ａを求める処理が終了した場合には、ステップＳ９０において、印刷指定色Ｖｗを印刷できる孔版印刷装置があるか否かを判別する。
【０１１５】
登録されたもののなかに、印刷指定色Ｖｗを印刷できる孔版印刷装置がない場合、ステップＳ９１において、ｗ≧Ｗ（但し、Ｗは、印刷指定色の総数）、すなわち全ての印刷指定色Ｖｗについて表現可能な色との色差を求める処理が終了したか判別する。終了していなければ、ステップＳ９２において、ｗを１インクリメントしてステップＳ８５から繰り返す。また、終了していれば、印刷指定色Ｖｗを印刷可能な孔版印刷装置がないので、ステップＳ９３においてユーザからの入力待機モードに移行する。
【０１１６】
ステップＳ９０において、印刷指定色Ｖｗを印刷できる孔版印刷装置がある場合には、ステップＳ９４において、印刷指定色を考慮するフラグを立て、ステップＳ９５において、色差εｖｗ，ａの最小値を検証し、印刷指定色Ｖｗを印刷できる孔版印刷装置が１つだけであるか否か判別する。１つだけであれば、ステップＳ９６において、印刷指定色Ｖｗを印刷できる孔版印刷装置に対して、原稿画像データを送信する。
【０１１７】
ステップＳ９５において、印刷指定色Ｖｗを印刷できる孔版印刷装置が複数存在する場合には、ステップＳ９７において、これら複数の孔版印刷装置に装着された色インキの組合せで印刷指定色Ｖｗを印刷可能な孔版印刷装置以外を比較対象から外し、ステップＳ９８に進む。
【０１１８】
ステップＳ８２において、各オブジェクトのなかに優先色ｖのみからなるオブジェクトが存在しないと判別された場合、ステップＳ９８において、優先色ｖ≧Ｖ（但し、Ｖは、優先色の数の最大値）、すなわち、全ての優先色に対してオブジェクトの抽出と孔版印刷装置の決定が終わったか否か判別する。終了していない場合には、ステップＳ９９において、ｖを１インクリメントし、ステップＳ８２から繰り返す。
【０１１９】
終了した場合には、ステップＳ１００において、優先色を考慮するフラグをチェックする。フラグがある場合には、ステップＳ１０１以降、オブジェクト判定のない場合と同様の処理が実行される。すなわち、図６のステップＳ２以降の処理に準ずる。
【０１２０】
一方、優先色考慮のフラグがない場合には、ステップＳ１０２において、例えば、ユーザに対して、「優先色を考慮せずに印刷が行われてもよいか」尋ねる旨のメッセージを表示する。続いてステップＳ１０３において、孔版印刷装置の選択処理を続行するか否かの確認メッセージを表示する。処理を続行する選択がされた場合には、ステップＳ１０１に進む。一方、処理を続行する選択がされない場合には、ステップＳ１０４において、ユーザからの入力待機モードに移行する。
【０１２１】
具体的に、オブジェクト判定が行われ、オブジェクトが指定された印刷色で印刷されるときの印刷動作の一例について説明する。オブジェクトの一例として、コーポレートマークをあげる。コーポレートマークのなかには、色が指定されているものもある（コーポレートカラー）。例えば、コーポレートマークがコーポレートカラー若しくは黒での印刷しか許可されていないとき、図１０に示す機能構成を有する制御部５４では、コーポレートカラー若しくは黒を印刷指定色として指定することができる。
【０１２２】
この場合、上述した優先色を印刷するときの印刷動作例になぞらえて判断すると、孔版印刷装置２ａの一方の版胴に赤インキがセットされ、他方の版胴に黒インキがセットされ、孔版印刷装置２ｂには黄インキと黒インキがセットされ、孔版印刷装置２ｃには黄インキと青インキがセットされ、優先順位が「１：孔版印刷装置２ａ、２：孔版印刷装置２ｂ、３：孔版印刷装置２ｃ」という条件で、図１５に示す葉書１００を印刷する場合であれば、上述した図１１〜図１４に示すフローチャートによる印刷動作によれば、領域１０４に描かれたコーポレートマークは、黒インキで単色印刷される。
【０１２３】
以上説明したように、孔版印刷システム１によれば、ユーザからみれば、オブジェクトに応じて、また指定された優先色に応じて最適な印刷色を再現可能な孔版印刷装置を自動的に選択することができる。また、印刷指定色を設定することにより、更に優先的に印刷する色を考慮して、最適な印刷色を再現可能な孔版印刷装置が自動的に選択されることになる。したがって、孔版印刷システム１では、印刷時に複数の孔版印刷装置のなかからユーザが手動で印刷先のプリンタを選択する手間が軽減され、更にユーザによる判断が困難な色相を有する原稿であっても、印刷に最適な孔版印刷装置を選択することができる。
【０１２４】
図１６〜図１９は、孔版印刷システム１における印刷制御装置３の表示部５２に表示されるグラフィカルユーザインターフェイスの一例を示す模式図である。これらは、図１０の機能構成を有する制御部５４において、優先色及び印刷指定色を指定するためにユーザに対して提供される操作画面上のウィンドウの一例である。
【０１２５】
図１６には、優先色を設定するためのウィンドウ２００の一例を示す。ウィンドウ２００には、優先色の数を指定することができる入力欄２０１と、複数の優先色のなかからどの優先色について情報設定を行うか選択する選択欄２０２と、選択欄２０２で選択した優先色についての情報設定を行うための図１７のウィンドウ２１０を展開するためのオブジェクト２０３と、このウィンドウ２００に記入された設定を全て有効化するためのオブジェクト２０４と、キャンセルするオブジェクト２０５が設けられている。
【０１２６】
ユーザにより、優先色を設定するオブジェクト２０３が選択されると、図１７のウィンドウ２１０が展開される。
【０１２７】
ウィンドウ２１０は、図１６で選択された優先色について、ＲＧＢ値を指定するための図１８のウィンドウ２２０を展開するためのオブジェクト２１１と、印刷指定色を設定するための追加ボタンを示すオブジェクト２１２と、削除するためのオブジェクト２１３と、このウィンドウ２１０に記入された設定を全て有効化するためのオブジェクト２１４と、キャンセルするオブジェクト２１５が設けられている。
【０１２８】
色を指定するためのウィンドウ２２０を展開するためのオブジェクト２１１が選択されると、図１８のウィンドウ２２０が展開される。
【０１２９】
ウィンドウ２２０は、ＲＧＢを設定するためのゲージ２２１、２２２、２２３と、このゲージによって設定される実際の色が表示される小ウィンドウ２２４と、このウィンドウ２２０に記入された設定を全て有効化するためのオブジェクト２２５と、キャンセルするオブジェクト２２６が設けられている。
【０１３０】
また、図１９に示すウィンドウ２３０は、優先色に対する印刷指定色のＬａｂを設定するための画面である。ウィンドウ２３０には、Ｌａｂを設定するゲージ２２１、２２２、２２３と、このゲージによって設定される実際の色が表示される小ウィンドウ２２４と、このウィンドウ２２０に記入された設定を全て有効化するためのオブジェクト２２５と、キャンセルするオブジェクト２２６が設けられている。ユーザは、図１８，図１９のウィンドウ２２０をみて優先色或いは印刷指定色を設定することができる。
【０１３１】
上述したように、図１６〜図１９に示すグラフィカルユーザインターフェイスを用いてユーザからの印刷色の設定を可能としたことにより、最適な印刷色（孔版印刷装置）を選択するときの操作入力にかかる労力を低減することができる。また、ユーザにとって、印刷される印刷色、指定したい印刷色等が分かり易くなる。
【０１３２】
なお、本発明は、上述した実施形態に限らず、多数種のインキのなかから限定された複数色のインキを選択して印刷に使用する各種印刷機、複写機等に対して広く適用可能である。
【産業上の利用可能性】
【０１３３】
本発明によれば、多色印刷可能な孔版印刷装置が複数存在する状況で、各孔版印刷装置に装着された色インキの情報から原稿画像の色情報の特徴を反映した印刷色を実現可能な印刷装置を自動的に選択することができ、ユーザによる煩雑な色インキの選択操作を低減するとともに原稿画像により近い色で印刷を行うことができるので、いわゆるネットワークプリンタを構成する上で有用である。
【図面の簡単な説明】
【０１３４】
【図１】本発明の実施形態として示す孔版印刷システムの概略を説明する構成図である。
【図２】本発明の実施形態として示す孔版印刷システムに適用される孔版印刷装置を説明する構成図である。
【図３】上記孔版印刷装置における制御部によって実現される機能を説明する機能構成図である。
【図４】本発明の実施形態として示す孔版印刷システムに適用される印刷制御装置の主要部を説明する構成図である。
【図５】上記印刷制御装置における制御部によって実現される機能を説明する機能構成図である。
【図６】本発明の実施形態として示す孔版印刷システムにおける印刷動作の一例を説明するフローチャートである。
【図７】上記孔版印刷システムにおいて、原稿画像の色が単色であり、色差情報テーブルから求められる色差値が所定の閾値以下に収まらないときの印刷動作の一例を説明するフローチャートである。
【図８】上記孔版印刷システムにおいて、原稿画像の色が単色であり、色差情報テーブルから求められる色差値が所定の閾値以下に収まらないときの印刷動作の一例を説明するフローチャートである。
【図９】上記孔版印刷システムにおいて、原稿画像の色が単色であり、色差情報テーブルから求められる色差値が所定の閾値以下に収まらないときの印刷動作の一例を説明するフローチャートである。
【図１０】孔版印刷システムにおける印刷制御装置の制御部の別の実施形態を説明する機能構成図である。
【図１１】図１０に示す制御部がオブジェクトとその優先色を考慮して印刷するときの印刷動作を説明するフローチャートである。
【図１２】図１０に示す制御部がオブジェクトとその優先色を考慮して印刷するときの印刷動作を説明するフローチャートである。
【図１３】図１０に示す制御部がオブジェクトを指定された印刷色で印刷するときの印刷動作を説明するフローチャートである。
【図１４】図１０に示す制御部がオブジェクトを指定された印刷色で印刷するときの印刷動作を説明するフローチャートである。
【図１５】印刷原稿の一例を説明する模式図である。
【図１６】上記孔版印刷システムにおける印刷制御装置の表示部に表示されるグラフィカルユーザインターフェイスの一例を示す模式図である。
【図１７】上記孔版印刷システムにおける印刷制御装置の表示部に表示されるグラフィカルユーザインターフェイスの一例を示す模式図である。
【図１８】上記孔版印刷システムにおける印刷制御装置の表示部に表示されるグラフィカルユーザインターフェイスの一例を示す模式図である。
【図１９】上記孔版印刷システムにおける印刷制御装置の表示部に表示されるグラフィカルユーザインターフェイスの一例を示す模式図である。
【符号の説明】
【０１３５】
１      孔版印刷システム
２ａ，２ｂ，２ｃ  孔版印刷装置
３      印刷制御装置
４      ネットワーク
１１    スキャナ部
１２    製版部
１３    印刷部
１４    給紙部
１５    排紙部
１６    表示・入力部
１７    制御部
５０    原稿画像作成部
５１    ネットワークＩ／Ｆ
５４    制御部
６１    原稿画像データ取得部
６３    色情報登録部
６４    色差情報格納部
６５    色差情報参照部
６６    装置選択部
【図１】
2008213167.tif 000003
【図２】
2008213167.tif 000004
【図３】
2008213167.tif 000005
【図４】
2008213167.tif 000006
【図５】
2008213167.tif 000007
【図６】
2008213167.tif 000008
【図７】
2008213167.tif 000009
【図８】
2008213167.tif 000010
【図９】
2008213167.tif 000011
【図１０】
2008213167.tif 000012
【図１１】
2008213167.tif 000013
【図１２】
2008213167.tif 000014
【図１３】
2008213167.tif 000015
【図１４】
2008213167.tif 000016
【図１５】
2008213167.tif 000017
【図１６】
2008213167.tif 000018
【図１７】
2008213167.tif 000019
【図１８】
2008213167.tif 000020
【図１９】
2008213167.tif 000021